(57)【要約】【課題】枠組み足場の外側に補助の足場板を架設する場合などに活用される足場板支持用ブラケットのコストダウンを図る。【解決手段】水平の足場板支持部材１と、当該足場板支持部材１の内端から垂下する垂直部材２と、当該垂直部材２に取り付けられたパイプクランプ４とを備えた足場板支持用ブラケットであって、前記足場板支持部材１は丸パイプ材から構成され、前記垂直部材２は断面溝形の形材から構成されると共に上端にはパイプ端嵌合部７が形成され、当該パイプ端嵌合部７は、前記垂直部材２の左右両側板部２ａ，２ｂと当該垂直部材２の上端で左右両側板部２ａ，２ｂ間をつなぐ天板部２ｄとで形成されたもので、前記足場板支持部材１のパイプ内端部１ａがその軸心方向に抜き差しのみ可能に内嵌し、このパイプ端嵌合部７とこれに内嵌した前記足場板支持部材１のパイプ内端部１ａとを互いに固着した構成。【選択図】図１
2006070485.tif 000002
【特許請求の範囲】
【請求項１】
水平の足場板支持部材と、当該足場板支持部材の内端から垂下する垂直部材と、当該垂直部材に取り付けられたパイプクランプとを備えた足場板支持用ブラケットであって、前記足場板支持部材は丸パイプ材から構成され、前記垂直部材は断面溝形の形材から構成されると共に上端にはパイプ端嵌合部が形成され、当該パイプ端嵌合部は、前記垂直部材の左右両側板部と当該垂直部材の上端で左右両側板部間をつなぐ天板部とで形成されたもので、前記足場板支持部材のパイプ内端部がその軸心方向に抜き差しのみ可能に内嵌し、このパイプ端嵌合部とこれに内嵌した前記足場板支持部材のパイプ内端部とを互いに固着して成る、足場板支持用ブラケット。
【請求項２】
前記垂直部材における上端天板部には、前記足場板支持部材における足場板支持領域を広げる切欠き部が形成されている、請求項１に記載の足場板支持用ブラケット。
【請求項３】
前記垂直部材のパイプ端嵌合部は、その外径が前記足場板支持部材のパイプ外径と同一に構成され、前記足場板支持部材のパイプ内端部は、前記垂直部材のパイプ端嵌合部に内嵌するように縮径してある、請求項１に記載の足場板支持用ブラケット。
【請求項４】
前記足場板支持部材のパイプ内端部と前記垂直部材のパイプ端嵌合部とは、当該パイプ端嵌合部の周壁から内側に突出して前記足場板支持部材のパイプ内端部の周壁を貫通するように形成されたバーリング筒部によって互いに固着されている、請求項１〜３の何れかに記載の足場板支持用ブラケット。
【請求項５】
前記垂直部材と前記足場板支持部材との間に当該足場板支持部材を支持する補強部材が架設されると共に、垂直部材の下端側に、前記パイプクランプが締結する縦鋼管に横から嵌合する嵌合部材が取り付けられた足場板支持用ブラケットであって、前記補強部材の下端取付板部と前記嵌合部材の取付板部とが前記垂直部材の底板部の両側同一高さに配置され、これら三者を貫通する止め具により前記垂直部材に前記補強部材と前記嵌合部材とが固着されている、請求項１〜４の何れかに記載の足場板支持用ブラケット。
【請求項６】
前記足場板支持部材の外端には足場板落下止め突出片が設けられた足場板支持用ブラケットであって、当該足場板落下止め突出片には、前記足場板支持部材のパイプ外端部を閉塞する取付板部に前記足場板支持部材のパイプ外端部に内嵌する有底円筒状突出部が形成され、前記足場板支持部材のパイプ外端部の周壁から内側に突出して前記足場板落下止め突出片の有底円筒状突出部の周壁を貫通するように形成されたバーリング筒部によって前記足場板支持部材と前記足場板落下止め突出片とが互いに固着されている、請求項１〜５の何れかに記載の足場板支持用ブラケット。
【発明の詳細な説明】
【技術分野】
【０００１】
本発明は、枠組み足場の外側に補助の足場板を架設する場合などに活用される足場板支持用ブラケットに関するものである。
【背景技術】
【０００２】
この種の足場板支持用ブラケットは、特許文献１にも記載されるように、水平の足場板支持部材と、当該足場板支持部材の内端から垂下する垂直部材と、当該垂直部材に取り付けられたパイプクランプとを備えたものである。
【特許文献１】特公昭５９−２２８４４号公報
【発明の開示】
【発明が解決しようとする課題】
【０００３】
而して従来のこの種の足場板支持用ブラケットは、前記足場板支持部材の内端と前記垂直部材の上端とを、両者を互いに所定位置に保持した状態で溶接することによって構成したものであって、両者の溶接作業に手間と時間がかかり、コスト高になっていた。
【課題を解決するための手段】
【０００４】
本発明は上記のような従来の問題点を解消し得る足場板支持用ブラケットを提供することを目的とするものであって、その手段を後述する実施形態の参照符号を付して示すと、水平の足場板支持部材１と、当該足場板支持部材１の内端から垂下する垂直部材２と、当該垂直部材２に取り付けられたパイプクランプ４とを備えた足場板支持用ブラケットであって、前記足場板支持部材１は丸パイプ材から構成され、前記垂直部材２は断面溝形の形材から構成されると共に上端にはパイプ端嵌合部７が形成され、当該パイプ端嵌合部７は、前記垂直部材２の左右両側板部２ａ，２ｂと当該垂直部材２の上端で左右両側板部２ａ，２ｂ間をつなぐ天板部２ｄとで形成されたもので、前記足場板支持部材１のパイプ内端部１ａがその軸心方向に抜き差しのみ可能に内嵌し、このパイプ端嵌合部７とこれに内嵌した前記足場板支持部材１のパイプ内端部１ａとを互いに固着した構成となっている。
【０００５】
上記構成の本発明を実施するについて、請求項２に記載のように、前記垂直部材２における上端天板部２ｄには、前記足場板支持部材１における足場板支持領域を広げる切欠き部８を形成するかまたは、請求項３に記載のように、前記垂直部材２のパイプ端嵌合部７は、その外径が前記足場板支持部材１のパイプ外径と同一となるように構成し、前記足場板支持部材１のパイプ内端部１ａは、前記垂直部材２のパイプ端嵌合部７に内嵌するように縮径しておくことができる。
【０００６】
また、前記足場板支持部材１のパイプ内端部１ａと前記垂直部材２のパイプ端嵌合部７とを互いに固着する手段は、溶接、リベット止め、カシメなど、如何なるものであっても良いが、請求項４に記載のように、前記パイプ端嵌合部７の周壁から内側に突出して前記足場板支持部材１のパイプ内端部１ａの周壁を貫通するように形成されたバーリング筒部９によって、前記足場板支持部材１のパイプ内端部１ａと前記垂直部材２のパイプ端嵌合部７とを互いに固着することができる。
【０００７】
前記垂直部材２と前記足場板支持部材１との間に当該足場板支持部材２を支持する支持部材３が架設されると共に、垂直部材２の下端側に、前記パイプクランプ４が締結する縦鋼管Ｐに横から嵌合する嵌合部材５が取り付けられた足場板支持用ブラケットである場合、前記垂直部材２に前記支持部材３や嵌合部材５を固着する手段は、溶接、リベット止め、カシメなど、如何なるものであっても良いが、請求項５に記載のように、前記支持部材３の下端取付板部３ｅと前記嵌合部材５の取付板部５ｄとを前記垂直部材２の底板部２ｃの両側同一高さに配置し、これら三者を貫通する止め具（リベット１１）により前記垂直部材２に前記支持部材３と前記嵌合部材５とを固着することができる。
【０００８】
また、前記足場板支持部材１の外端に足場板落下止め突出片６が設けられた足場板支持用ブラケットである場合は、請求項６に記載のように、足場板落下止め突出片６は、前記足場板支持部材１のパイプ外端部１ｂを閉塞する取付板部６ａに前記足場板支持部材１のパイプ外端部１ｂに内嵌する有底円筒状突出部６ｄが形成されたものとし、前記足場板支持部材１のパイプ外端部１ｂの周壁から内側に突出して前記足場板落下止め突出片６の有底円筒状突出部６ｄの周壁を貫通するように形成されたバーリング筒部１８によって前記足場板支持部材１と前記足場板落下止め突出片６とを互いに固着することができる。
【発明の効果】
【０００９】
上記構成の本発明に係る足場板支持用ブラケットによれば、パイプクランプを保持する垂直部材は、その底板部を利用してパイプクランプを容易に取り付けることができると共に、必要な曲げ強度も確保できる断面溝形の形材から構成したものでありながら、当該垂直部材の上端に足場板支持部材のパイプ内端部を取り付けるとき、そのパイプ内端部を垂直部材の上端のパイプ端嵌合部に軸心方向に差し込むことにより、垂直部材に対し足場板支持部材を直角向きに位置決めすることができ、仮に溶接により両者を固着する場合でもその溶接作業を能率良く容易にしかも精度良く実行することができ、足場板支持用ブラケット全体の品質向上とコストダウンを図ることができる。
【００１０】
尚、請求項２に記載の構成によれば、足場板支持部材のパイプ材に特別な加工を施さなくとも、足場板支持部材の上面の平坦な足場板支持領域を十分に確保し、足場板を安定的に支持させることができる。また、請求項３に記載の構成によれば、足場板支持部材のパイプ内端部に対する縮径加工が必要になるが、垂直部材の上端、即ち、パイプ端嵌合部の上面を含むブラケット全長を平坦な足場板支持領域として、幅広の足場板でも安定的に支持させることができる。
【００１１】
また、請求項４に記載の構成によれば、前記足場板支持部材のパイプ内端部と前記垂直部材のパイプ端嵌合部とを互いに固着するための溶接作業を省き、しかもリベットなど、他の止め具を使用する必要もなく、一層のコストダウンを図ることができる。
【００１２】
また、前記垂直部材と前記足場板支持部材との間に当該足場板支持部材を支持する支持部材が架設されると共に、垂直部材の下端側に、前記パイプクランプが締結する縦鋼管に横から嵌合する嵌合部材が取り付けられた足場板支持用ブラケットを構成する場合も、請求項５に記載の構成によれば、前記垂直部材に前記支持部材や嵌合部材を固着するための溶接作業を省き、しかも前記垂直部材に前記支持部材と嵌合部材を各別にリベット止めする場合と比較して、リベットの使用本数を削減し、安価に製造することができる。
【００１３】
更に、前記足場板支持部材の外端に足場板落下止め突出片が設けられた足場板支持用ブラケットを構成する場合も、請求項６に記載の構成によれば、足場板落下止め突出片を足場板支持部材の外端に固着するための溶接作業を省き、しかもリベットなど、他の止め具を使用する必要もなく、安価に製造することができる。
【発明を実施するための最良の形態】
【００１４】
以下に本発明の具体的実施例を添付図に基づいて説明すると、図１〜図５において、１は足場板支持部材、２は垂直部材、３は支持部材、４はパイプクランプ、５は嵌合部材、６は足場板落下止め突出片である。足場板支持部材１は丸パイプ材から成るものであって、そのパイプ内端部１ａに垂直部材２の上端部が直角に取り付けられ、パイプ外端部１ｂに足場板落下止め突出片６が取り付けられている。１ｃは足場板支持部材１のパイプ材内周面から軸心方向に沿って直線状に盛り上がっている溶接ビードである。支持部材３は垂直部材２の下端部と足場板支持部材１の外端寄り位置との間に斜めに架設されている。
【００１５】
以下、更に詳述すると、垂直部材２には横断面溝形の形材が使用され、その左右両側板部２ａ，２ｂと底板部２ｃ、及び垂直部材２の上端に左右両側板部２ａ，２ｂと底板部２ｃとから一体に連設された天板部２ｄを有し、これら左右両側板部２ａ，２ｂの上端部と天板部２ｄとで、この垂直部材２の横幅よりも外径の大きな前記足場板支持部材１のパイプ内端部１ａが軸心方向に抜き差しのみ可能に内嵌するパイプ端嵌合部７が形成されている。また、このパイプ端嵌合部７の上面を形成する天板部２ｄは、外側略半分が切除されて切欠き部８となっている。而して、このパイプ端嵌合部７に足場板支持部材１のパイプ内端部１ａを差し込んだ状態で、パイプ端嵌合部７の周壁となる左右両側板部２ａ，２ｂの上端部に、図１Ｂに示すように足場板支持部材１のパイプ内端部１ａの周壁を貫通するように内側に突出する左右一対のバーリング筒部９が互いに同心状に形成され、当該左右一対のバーリング筒部９によって、足場板支持部材１のパイプ内端部１ａと垂直部材２のパイプ端嵌合部７とが互いに固着されている。
【００１６】
尚、左右一対のバーリング筒部９の形成に関しては、足場板支持部材１のパイプ内端部１ａの周壁にバーリング筒部９が密に内嵌する直径の貫通孔が前以って設けられると共に、パイプ端嵌合部７の周壁（垂直部材２の左右両側板部２ａ，２ｂ）には、バーリング筒部９の形成のための小径の貫通孔が前以って設けられている。
【００１７】
支持部材３は、垂直部材２に使用した横断面溝形の形材内（左右両側板部２ａ，２ｂ間）に嵌めることができる横断面溝形の形材から成るもので、その長さ方向両端には、当該形材の左右両側板部３ａ，３ｂと底板部３ｃと一体で当該左右両側板部３ａ，３ｂ間を閉じるようにプレス成形された取付板部３ｄ，３ｅを備えており、上端の取付板部３ｄは、足場板支持部材１のパイプ材外周面の底部に面当接し得る断面円弧形に成形され、当該取付板部３ｄと足場板支持部材１のパイプ材周壁の底部とが、２本のブラインドリベット１０により互いに固着され、下端の取付板部３ｅは、垂直部材２の左右両側板部２ａ，２ｂ間に嵌合して、嵌合部材５の取付板部５ｄとの間で垂直部材２の底板部２ｃを挟む状態で垂直部材２の底板部２ｃに当接し、これら互いに重なる三者を貫通する２本のリベット１１により嵌合部材５と共に垂直部材２の下端に固着されている。
【００１８】
嵌合部材５は、図５に示すように鉄板を平面形状略Ｖ字形にプレス加工して構成されたもので、その左右一対のアーム部５ａ，５ｂの先端間にわたって連続する偏平溝形の補強用リブ５ｃが外側に突出するように一体成形され、当該補強用リブ５ｃの底板部で前記取付板部５ｄが構成されている。従って、この嵌合部材５を垂直部材２に固着するリベット１１の頭部は、補強用リブ５ｃ内に納まることになる。
【００１９】
パイプクランプ４は従来周知のもので、図２に示すように、ベース部４ａの一端に押さえ部材４ｂを支軸４ｃにより開閉自在に軸支すると共に、ベース部４ａの他端に支軸４ｄで揺動自在に軸支した締結ボルト４ｅを押さえ部材４ｂの遊端に係合させた状態で、締結ボルト４ｅに螺嵌するナット４ｆを締め付けることにより、ベース部４ａと押さえ部材４ｂとで挟持した鋼管Ｐをクランプするように構成されている。而して、垂直部材２には、図１に示すように、その上端のパイプ端嵌合部７の直下で底板部２ｃに、内側に突出するバーリング筒部１２で形成された取付用貫通ねじ孔１２ａが設けられており、パイプクランプ４のベース部４ａをその内側から貫通する取付用ボルト１３を前記取付用貫通ねじ孔１２ａに螺合締結させることにより、パイプクランプ４が垂直部材２に取り付けられているが、パイプクランプ４が取付用ボルト１３の周りで自転するのを防止するために、図１Ｂに示すように、パイプクランプ４のベース部４ａから外向きに突設された回り止め用突起１４が垂直部材２の底板部２ｃに設けられた回り止め用孔１５に嵌合するように構成されている。
【００２０】
足場板落下止め突出片６は、足場板支持部材１のパイプ外端部１ｂを塞ぐ取付板部６ａから上方に突出する突出板部６ｂに足場板側辺釘止め用釘孔６ｃを設けたもので、取付板部６ａには、足場板支持部材１のパイプ外端部１ｂに丁度内嵌させ得る直径の有底円筒状突出部６ｄが一体にプレス加工され、当該有底円筒状突出部６ｄの底板部中心には、必要に応じてこの足場板落下止め突出片６の外側にパイプクランプを取り付ける際に使用する貫通ねじ孔１６ａ（垂直部材２に設けた取付用貫通ねじ孔１２ａに相当するもの）が有底円筒状突出部６ｄから外向きに突出するバーリング筒部１６によって形成されている。また図４に示すように、取付板部６ａには、前記貫通ねじ孔１６ａを利用してパイプクランプを足場板落下止め突出片６の外側に取り付ける際に当該パイプクランプの回り止めとなる回り止め用凹部１７（垂直部材２に設けた回り止め用孔１５に相当するもの）が設けられている。
【００２１】
而して、足場板支持部材１のパイプ外端部１ｂの周壁には、当該足場板支持部材１のパイプ外端部１ｂに内嵌する足場板落下止め突出片６の有底円筒状突出部６ｄの周壁を貫通するように内側に突出する左右一対のバーリング筒部１８が互いに同心状に形成され、当該左右一対のバーリング筒部１８によって、足場板支持部材１のパイプ外端部１ｂと足場板落下止め突出片６とが互いに固着されている。
【００２２】
尚、先に説明したように足場板支持部材１のパイプ材内周面には溶接ビード１ｃが軸心方向に沿って存在しており、この溶接ビード１ｃが足場板支持部材１のパイプ材中心に対して真下に位置するように、垂直部材２を取り付けるバーリング筒部９の嵌合する貫通孔や支持部材３を取り付けるブラインドリベット１０の下孔が設けられている。従って、足場板落下止め突出片６の有底円筒状突出部６ｄは、図３に示すように完全な円筒形ではなく、前記溶接ビード１ｃに対応する周壁下部６ｅが偏平状にカットされた形状に成形されている。また、足場板支持部材１のパイプ外端部１ｂに対する左右一対のバーリング筒部１８の形成に関しては、当該パイプ外端部１ｂの周壁にバーリング筒部１８の形成のための小径の貫通孔が前以って設けられれると共に、足場板落下止め突出片６の有底円筒状突出部６ｄの周壁には、バーリング筒部１８が密に内嵌する直径の貫通孔が前以って設けられている。
【００２３】
以上のように構成された足場板支持用ブラケットは、図１に仮想線で示すように、枠組み足場の外側に補助足場を仮設する場合に、当該枠組み足場を構成する建枠の外側の垂直な鋼管Ｐに取り付けて使用することができる。即ち、垂直部材２の下端に取り付けられている嵌合部材５を鋼管Ｐに嵌合させた状態で、垂直部材２の上端側に取り付けられているパイプクランプ４を従来周知の方法で鋼管Ｐの所定高さに締結させることにより、複数本の各鋼管Ｐの同一レベルにそれぞれ上記構成の足場板支持用ブラケットを取り付け、各ブラケットにおける足場板支持部材１で足場板を水平に支持させることができる。このとき足場板は、足場板落下止め突出片６と垂直部材２の上端のパイプ端嵌合部７との間の足場板支持部材１のパイプ材周面で支持させることになるが、垂直部材２の上端のパイプ端嵌合部７の上部、即ち、垂直部材２の天板部２ｄには切欠き部８が形成されていて、足場板支持部材１の足場板を支持するパイプ材周面の長さを垂直部材２側（鋼管Ｐ側）に延長させているので、幅広の足場板を垂直部材２の天板部２ｄ上に重ねることなく安定的に支持させることができる。
【００２４】
尚、垂直部材２の天板部２ｄに切欠き部８を形成する代わりに、図６及び図７Ａに示すように、垂直部材２の上端に形成するパイプ端嵌合部７の外径を足場板支持部材１のパイプ材外径と等しくし、足場板支持部材１のパイプ内端部１ａをパイプ端嵌合部７に内嵌させることができる直径に縮径加工しておくことができる。また、図１Ｂ及び図７Ａに示すように、垂直部材２は、その上端に形成されるパイプ端嵌合部７の横幅（外径）より幅の狭い横断面溝形の形材を使用しているが、図７Ｂに示すように、垂直部材２は、その上端に形成されるパイプ端嵌合部７の横幅（外径）と同一かまたは幅の広い横断面溝形の形材を使用することもできる。この図７Ｂに示す実施形態は、図１〜図５に示すように天板部２ｄに切欠き部８を形成する実施形態にも適用できる。
【図面の簡単な説明】
【００２５】
【図１】Ａ図は一部縦断側面図、Ｂ図はＡ図のＡ−Ａ線拡大断面図である。
【図２】一部切欠き平面図である。
【図３】図１ＡのＢ−Ｂ線拡大断面図である。
【図４】正面図である。
【図５】図１ＡのＣ−Ｃ線拡大断面図である。
【図６】変形例を示す要部の一部縦断側面図である。
【図７】Ａ図は図６のＤ−Ｄ線断面図、Ｂ図は更に別の変形例を示す要部の縦断正面図である。
【符号の説明】
【００２６】
１    足場板支持部材
１ａ    パイプ内端部
１ｂ    パイプ外端部
１ｃ    溶接ビード
２    垂直部材
２ａ，２ｂ    垂直部材の左右両側板部
２ｃ    垂直部材の底板部
２ｄ    垂直部材の天板部
３    支持部材
４    パイプクランプ
５    嵌合部材
６    足場板落下止め突出片
６ｄ    有底円筒状突出部
６ｅ    偏平な周壁下部
７    パイプ端嵌合部
８    切欠き部
９，１２，１６，１８    バーリング筒部
１０    ブラインドリベット
１１    リベット
１２ａ，１６ａ    パイプクランプ取付用貫通ねじ孔
１３    パイプクランプ取付用ボルト
１５    パイプクランプ回り止め用孔
１７    パイプクランプ回り止め用凹部
Ｐ    鋼管
【図１】
2006070485.tif 000003
【図２】
2006070485.tif 000004
【図３】
2006070485.tif 000005
【図４】
2006070485.tif 000006
【図５】
2006070485.tif 000007
【図６】
2006070485.tif 000008
【図７】
2006070485.tif 000009